(57)【要約】      （修正有）【課題】製品中の微生物の成長を妨げるために使用されるイソチアゾリン−３−オンおよび他の抗微生物化合物またはホルムアルデヒド放出性化合物をその場で製品を処理して、製品に他の好ましくない化合物を導入することなく、抗微生物化合物を低減する方法を提供する。【解決手段】抗微生物化合物を含む液体組成物中にチオール、チオ尿素、チオアミドまたはアミノ官能基を含む架橋樹脂を接触させることにより、抗微生物化合物の量を低減する。【選択図】なし【特許請求の範囲】
【請求項１】
イソチアゾリン−３−オン；２，２−ジブロモ−３−ニトリロプロピオンアミド；２−ブロモ−２−ニトロプロパンジオール；ジチオ−２，２’−ビス（ベンズメチルアミド）；ヘキセチジン；クロルフェネシン；およびＣ１−Ｃ４アルキル−４−ヒドロキシベンゾアート；からなる群から選択される少なくとも１種の抗微生物化合物を含む液体組成物中の抗微生物化合物を低減させる方法であって、
チオール、チオ尿素、またはチオアミド官能基を含む架橋樹脂と前記液体組成物とを接触させることを含む、液体組成物中の抗微生物化合物を低減させる方法。
【請求項２】
樹脂：液体組成物の重量比が０．０１：１〜１：１である、請求項１に記載の方法。
【請求項３】
液体組成物中の抗微生物化合物の量が１ｐｐｍ〜１００ｐｐｍであり、液体組成物がパーソナルケア製品である、請求項２に記載の方法。
【請求項４】
樹脂がチオール官能基を含有する、請求項３に記載の方法。
【請求項５】
樹脂：液体組成物の重量比が０．０５：１〜０．５：１であり、樹脂が３．５％〜１４％の架橋剤量を有するマクロ多孔質スチレン系樹脂である、請求項４に記載の方法。
【請求項６】
パーソナルケア製品が分配される際にパーソナルケア製品が樹脂を通るように、樹脂が製品容器内の空間に収容されている、請求項５に記載の方法。
【請求項７】
パーソナルケア製品がイソチアゾリン−３−オンを合計で５ｐｐｍ〜５０ｐｐｍ含む、請求項６に記載の方法。
【請求項８】
少なくとも第２の樹脂をさらに含み、当該第２の樹脂が塩基性樹脂である、請求項７に記載の方法。
【請求項９】
チオール、チオ尿素、チオアミドまたはアミノ官能基を含有する樹脂と、液体組成物とを接触させることを含む、液体組成物中の３−ヨードプロピニルブチルカルバマートの量を低減させる方法。
【請求項１０】
チオール、チオ尿素、チオアミドまたはアミノ官能基を含有する樹脂と、液体組成物とを接触させることを含む、液体組成物中のホルムアルデヒドまたはホルムアルデヒド放出性化合物の量を低減させる方法。
【発明の詳細な説明】
【技術分野】
【０００１】
本発明は、製品中の微生物の成長を妨げるために使用されるイソチアゾリン−３−オンおよび他の抗微生物化合物と使用者が接触するのを最小限にするために、分配中に製品からイソチアゾリン−３−オンおよび他の抗微生物化合物を除去する方法に関する。
【背景技術】
【０００２】
製品中の微生物の成長を制御するために様々な抗微生物化合物が使用される。ある場合には、特定の最終用途環境において微生物の制御をもたらすために塩素化イソチアゾリン−３−オンが使用される。しかし、塩素化イソチアゾロン−３−オンは感作物質として働く場合があり、場合によっては、製品、特に皮膚に直接接触することが意図されるパーソナルケア製品中の望ましくない成分であると見なされる。これらの化合物と皮膚との接触を最小限にするために、分配中にイソチアゾリン−３−オンおよび他の潜在的に刺激性の抗微生物化合物の量を低減する方法が望まれる。
【０００３】
イソチアゾリン−３−オンを分解する方法が知られている。例えば、米国特許第５，６４１，４１１号は、イソチアゾリン−３−オンを含む産業排出物を、水可溶性有機チオール化合物と接触させることによりこの排出物を無毒化する方法を開示する。
【先行技術文献】
【特許文献】
【０００４】
【特許文献１】米国特許第５，６４１，４１１号明細書
【発明の概要】
【発明が解決しようとする課題】
【０００５】
しかし、その場で製品を処理して、製品に他の好ましくない化合物を導入することなくイソチアゾリン−３−オンの量を低減する方法についての必要性が存在している。本発明によって取り組まれる課題は、抗微生物化合物のその場での低減のためのこのような方法を提供することである。
【課題を解決するための手段】
【０００６】
本発明は、イソチアゾリン−３−オン、２，２−ジブロモ−３−ニトリロプロピオンアミド（ＤＢＮＰＡ）、２−ブロモ−２−ニトロプロパンジオール（ＢＮＰＤ）、ジチオ−２，２’−ビス（ベンズメチルアミド）（ＤＴＢＭＡ）、ヘキセチジン、クロルフェネシンおよびＣ１−Ｃ４アルキル−４−ヒドロキシベンゾアート（アルキルパラベン）から選択される少なくとも１種の抗微生物化合物を含む液体組成物中の抗微生物化合物の量を低減させる方法に関する。本方法は、チオール、チオ尿素、またはチオアミド官能基を含む架橋樹脂と、前記液体組成物とを接触させることを含む。
本発明はさらに液体組成物中の３−ヨードプロピニルブチルカルバマート（ＩＰＢＣ）の量を低減させる方法に関する。この方法は、チオール、チオ尿素、チオアミドまたはアミノ官能基を含有する架橋樹脂と、前記液体組成物とを接触させることを含む。
本発明はさらに液体組成物中のホルムアルデヒドまたはホルムアルデヒド放出性化合物の量を低減させる方法に関する。この方法は、チオール、チオ尿素、チオアミドまたはアミノ官能基を含有する架橋樹脂と、前記液体組成物とを接触させることを含む。
【発明を実施するための形態】
【０００７】
他に特定されない限りは、温度は摂氏度（℃）であり、パーセンテージに関する言及は重量基準（重量％）であり、「ｐｐｍ」に関する言及は重量基準で１００万あたりの、活性成分（抗微生物化合物）の部数（重量／重量）である。他に特定されない限りは、実施例は２０℃〜２５℃の温度で行われた。他に特定されないかぎりは、樹脂の重量および官能性は乾燥基準である。本明細書において言及される粘度は、測定される粘度範囲に好適なスピンドルを用いて約２５℃の温度で操作するブルックフィールド粘度計を用いて測定される粘度である。「ＭＩＴ」は２−メチル−４−イソチアゾリン−３−オンであり、２−メチル−３−イソチアゾロンの名称でも表される。「ＣＭＩＴ」は５−クロロ−２−メチル−４−イソチアゾリン−３−オンである。「ＯＩＴ」は２−ｎ−オクチル−４−イソチアゾリン−３−オンである。「ＤＣＯＩＴ」は４，５−ジクロロ−２−ｎ−オクチル−４−イソチアゾリン−３−オンである。「ＢＩＴ」は１，２−ベンズイソチアゾリン−３−オンである。液体組成物は２５℃で連続した液相を構成するものである。液相は水性、水中油エマルション、または油ベースであることができ、好ましくは水性である。組成物は不溶性固体も含むことができ、この不溶性固体は分散、懸濁または乳化されうる。ホルムアルデヒド放出性化合物は、水性溶液中に遊離のホルムアルデヒドを生じさせる化合物である。ホルムアルデヒド放出性化合物の例には、１−（３−クロロアリル）−３，５，７−トリアザ−アゾニアアダマンタン（ＣＴＡＣ）、１，３−ビス（ヒドロキシメチル）−５，５−ジメチル−２，４−ジオキソイミダゾリジン（ＤＭＤＭＨ）、１，３−ビス（ヒドロキシメチル）−１−（１，３，４−トリス（ヒドロキシメチル）−２，５−ジオキソイミダゾリジン−４−イル）尿素（ジアゾリジニル尿素）、１，１’−メチレンビス｛３−［１−（ヒドロキシメチル）−２，５−ジオキソイミダゾリジン−４−イル］尿素（イミダゾリジニル尿素）、ナトリウムヒドロキシメチルグリシナート、４，４−ジメチルオキサゾリジン、および７−エチルビシクロオキサゾリジンが挙げられる。特に好ましいホルムアルデヒド放出性化合物には、１−（３−クロロアリル）−３，５，７−トリアザ−アゾニアアダマンタン、および１，３−ビス（ヒドロキシメチル）−５，５−ジメチル−２，４−ジオキソイミダゾリジンが挙げられる。
【０００８】
本明細書において使用される場合、次の用語は、他に文脈が明確に示さない限りは、特定された定義を有する。用語「抗微生物化合物」とは、対象における微生物の増殖を抑制または増殖を制御することができる化合物をいい、抗微生物化合物には、適用される投与量、システム条件および望まれる微生物制御の水準に応じて、殺バクテリア剤、静バクテリア剤、殺真菌剤、静真菌剤、殺藻剤および静藻剤が挙げられる。用語「微生物」には、例えば、真菌（例えば、酵母およびカビ）、バクテリア、および藻類が挙げられる。
【０００９】
本明細書において使用される場合、用語「（メタ）アクリル」とはアクリルまたはメタクリルをいう。用語「スチレン系」とは、少なくとも１種のスチレンモノマー（スチレンもしくは置換スチレン）および／または少なくとも１種の架橋剤を含み、スチレンモノマーと架橋剤との合計重量が全モノマー重量の少なくとも５０重量％、好ましくは少なくとも７５重量％、好ましくは少なくとも９０重量％である、モノマーまたはモノマーの混合物が重合されたコポリマーを示す。スチレンモノマーには、例えば、スチレン、α−メチルスチレンおよびエチルスチレンが挙げられる。架橋剤は、少なくとも２つの重合性炭素−炭素二重結合を含むモノマーであり、例えば、ジビニル芳香族；ジ−、トリ−およびテトラ−（メタ）アクリラートまたは（メタ）アクリルアミド；ジ−、トリ−およびテトラ−アリルエーテルおよびエステル；グリコールおよびポリオールのポリアリルおよびポリビニルエーテルである。好ましくは、架橋剤は２つの重合性炭素−炭素二重結合を有し、例えば、ジビニル芳香族架橋剤、例えば、ジビニルベンゼンである。ある実施形態においては、スチレンポリマーは、少なくとも７５％のスチレンおよびジビニル芳香族架橋剤であるモノマーの混合物から、より好ましくは、少なくとも９０％のスチレンおよびジビニル芳香族架橋剤であるモノマーの混合物から、および最も好ましくは、スチレンおよび少なくとも１種のジビニル芳香族架橋剤から本質的になるモノマーの混合物から製造される。他の実施形態においては、スチレンポリマーは少なくとも１種のジビニル芳香族架橋剤から本質的になるモノマー混合物から製造される。用語「アクリル系」は、少なくとも１種の（メタ）アクリル酸、エステルまたはアミド、これと共に少なくとも１種の架橋剤を含むビニルモノマーの混合物から形成され、（メタ）アクリル酸、アミドまたはエステルと架橋剤との合計重量が全モノマー重量の少なくとも５０重量パーセント、好ましくは少なくとも７５％、より好ましくは少なくとも９０％であり、最も好ましくは、少なくとも１種の（メタ）アクリル酸またはエステルと少なくとも１種の架橋剤、好ましくは二官能性架橋剤、例えば、ジビニルベンゼンとから本質的になるモノマーの混合物から形成されるコポリマーを示す。樹脂は、典型的には、成分モノマーの重合後に官能化される。樹脂は１種より多い官能基を含むことができる。
【００１０】
好ましくは、液体組成物は、上記抗微生物化合物を合計で１ｐｐｍ〜１００ｐｐｍ、好ましくは少なくとも５ｐｐｍ、好ましくは少なくとも１０ｐｐｍ、好ましくは少なくとも１５ｐｐｍ、好ましくは７５ｐｐｍ以下、好ましくは６０ｐｐｍ以下、好ましくは５０ｐｐｍ以下、好ましくは４０ｐｐｍ以下、好ましくは３０ｐｐｍ以下含む。好ましくは、抗微生物化合物はイソチアゾリン−３−オン、好ましくは、ＭＩＴ、ＣＭＩＴ、ＯＩＴ、ＤＣＯＩＴ；ＢＩＴおよびこのＮ−アルキル誘導体、特にＮ−メチル（ＭＢＩＴ）およびＮ−ｎ−ブチル（ＢＢＩＴ）；並びにこれらの組み合わせである。好ましくは、抗微生物化合物は、ＭＩＴ、ＣＭＩＴ、ＢＩＴ、ＭＢＩＴ、ＢＢＩＴおよびこれらの組み合わせから選択され；好ましくは、ＭＩＴ、ＣＭＩＴおよびこれらの組み合わせから選択される。商業的に重要なある特定の混合物はＭＩＴおよびＣＭＩＴを含み、好ましくはＣＭＩＴ：ＭＩＴ比は４：１〜１：１、好ましくは３．５：１〜２．５：１、好ましくは約３：１である。
【００１１】
好ましくは、樹脂は、液体組成物のグラムあたり０．０１〜１グラムの樹脂量で存在し、好ましくは少なくとも０．０５、好ましくは少なくとも０．１、好ましくは少なくとも０．１３、好ましくは少なくとも０．１６、好ましくは０．７５以下、好ましくは０．５以下、好ましくは０．２５以下である。好ましくは、液体組成物は消費者用製品であり、製品が分配されるときに製品が樹脂を通るように、樹脂は製品容器内の空間内に収容される。例えば、製品容器のキャップ内のスクリーンもしくはフィルターの間に、または主たる製品容器の上方のべつの空間内、すなわち、製品が開口部を通って分配されるその開口部と主たる製品容器との間に樹脂が捕捉されていることができる。これは製品が塩素化イソチアゾリン−３−オンをはじめとする抗微生物化合物と共に保存されることを可能にし、一方で、製品使用者に接触しうる分配された製品が、抗微生物化合物を非常に低減された量しか有しないことを可能にする。好ましくは、スクリーンまたはフィルターは直径または最長寸法０．０５ｍｍ〜０．２５ｍｍ、好ましくは０．１ｍｍ〜０．２５ｍｍ、好ましくは０．１ｍｍ〜０．２２ｍｍ、好ましくは０．１ｍｍ〜０．２ｍｍの開口部を有する。好ましくは、樹脂は、製品容器内の製品のグラムあたり、０．０１〜１グラムの樹脂量で存在し、好ましくは少なくとも０．０５グラムであり、好ましくは少なくとも０．１グラムであり、好ましくは少なくとも０．１３グラムであり、好ましくは少なくとも０．１６グラムであり、好ましくは０．７５グラム以下であり、好ましくは０．５グラム以下であり、好ましくは０．２５グラム以下である。
【００１２】
本発明において処理される液体組成物には、例えば、冷却塔水；鉱物スラリー；排水；バラスト水；パルプおよび紙加工用流体；エマルション；分散体；塗料；ラテックス；建築接着剤、例えば、セラミック接着剤、カーペット裏当て接着剤、および積層用接着剤；産業または消費者用接着剤；写真用化学品；印刷用流体；家庭用製品、例えば、浴室および台所洗浄剤；パーソナルケア製品、例えば、化粧品、洗面用化粧品、シャンプー並びに液体石けんおよび洗剤；産業用洗浄剤；床磨き剤；洗濯すすぎ水；金属加工用流体；コンベア潤滑剤；液圧流体；石油処理流体；燃料；油田用流体、例えば、注入水、破砕用流体および掘削泥水；並びにプールおよび温泉の水が挙げられうる。好ましくは、本発明の方法は、パーソナルケア製品、すなわち、直接人または動物の皮膚に適用されることが意図される製品における抗微生物化合物量を低減させるために使用される。パーソナルケア組成物において、他の成分には、ＵＶ線吸収剤、界面活性剤、レオロジー改変剤または増粘剤、香料、湿潤剤、保湿剤、皮膚軟化剤、コンディショニング剤、乳化剤、帯電防止剤、顔料、染料、毛髪染料、着色剤、酸化防止剤、還元剤および酸化剤が挙げられうる。
【００１３】
好ましくは、液体組成物は、２５℃で測定される粘度０．００１〜１００Ｐａ・ｓ、好ましくは、０．０１〜５０Ｐａ・ｓ、好ましくは、１〜１０Ｐａ・ｓを有する。好ましくは、２５℃で測定される液体組成物のｐＨは３〜１０、好ましくは、４．５〜８、好ましくは、５〜８、好ましくは、５．５〜７．５である。好ましくは、液体組成物は１０℃〜４０℃、好ましくは１５℃〜３５℃、好ましくは１８℃〜３０℃の温度で樹脂と接触させられる。
【００１４】
好ましくは、樹脂中の架橋剤の量は０．５％〜２０％、好ましくは１％〜１２％である。ゲル樹脂は、好ましくは、０．５％〜４％の架橋剤量を有する。マクロ多孔質樹脂は、好ましくは、３％〜１４％、好ましくは、５％〜１２％の架橋剤量を有する。ある実施形態においては、樹脂はスチレン系樹脂であり、典型的には８６％〜９９．５％のスチレンモノマーのモノマー残基および０．５％〜１４％の架橋剤の残基を含む。好ましくは、樹脂は実質的に球状のビーズの形態である。
【００１５】
好ましくは、樹脂はマクロ多孔質樹脂であり、好ましくはマクロレティキュラー（ｍａｃｒｏｒｅｔｉｃｕｌａｒ）樹脂であり、ゲル型樹脂ではない。マクロ多孔質樹脂は２５ｍ２／ｇ〜２００ｍ２／ｇの表面積、および５０Å〜５００Åの平均孔直径を有する；好ましくは、３０ｍ２／ｇ〜８０ｍ２／ｇの表面積、および１００Å〜３００Åの平均孔直径を有する樹脂である。好適なマクロ多孔質樹脂には、例えば、アクリル系樹脂、スチレン系樹脂およびこれらの組み合わせが挙げられる。好ましくは、ゲル型樹脂の調和平均粒子サイズは１００μｍ〜２０００μｍ、好ましくは２５０μｍ〜９００μｍ、好ましくは３００μｍ〜７５０μｍである。調和平均の計算は当業者に周知なものである。好ましくは、少なくとも９０体積パーセントの樹脂ビーズは、体積平均粒子直径の０．９〜１．１倍の粒子直径を有する。好ましくは、樹脂は相互侵入高分子網目（ｉｎｔｅｒｐｅｎｅｔｒａｔｉｎｇ  ｐｏｌｙｍｅｒ  ｎｅｔｗｏｒｋ）を有する。本発明のある実施形態においては、樹脂はスチレンおよび架橋剤の官能化重合単位を含む。好ましくは、架橋剤はジエチレン性不飽和であり、例えば、ジビニルベンゼン（ＤＶＢ）である。好ましくは、官能化樹脂は乾燥基準で１〜６ｍｅｑ／ｇの官能性、好ましくは、少なくとも２ｍｅｑ／ｇ、好ましくは、少なくとも２．５ｍｅｑ／ｇ、好ましくは、少なくとも３ｍｅｑ／ｇの官能性を有する。ある実施形態においては、官能化樹脂は５ｍｅｑ／ｇ以下の官能性、好ましくは４ｍｅｑ／ｇ以下の官能性を有する。好ましくは、樹脂はチオールまたはチオ尿素官能基、好ましくはチオール基を含有する。樹脂は１種より多い官能基を有することができる。
【００１６】
好ましくは、ＩＰＢＣは、チオール、チオ尿素もしくはチオアミド官能基を有する架橋樹脂、または弱塩基アニオン交換樹脂、例えば、第三級アミン官能化スチレンジビニルベンゼン樹脂と接触させられ、好ましくは、チオールまたは第三級アミン官能基である。好ましくは、ホルムアルデヒドまたはホルムアルデヒド放出性保存剤は、チオール、チオ尿素またはチオアミド官能基を有する架橋樹脂と接触させられるか、またはポリエチレンイミンで覆われたシリカゲルビーズと接触させられるか；好ましくは、チオール官能基を有する樹脂、またはポリエチレンイミンで覆われたシリカゲルビーズと接触させられる。
【００１７】
好ましくは、樹脂は、樹脂床を形成するように、好ましくは、連続的な液体が樹脂粒子を通って流れるのを可能にする容器内に閉じこめられる。好ましくは、この容器はカラムまたは反応器である。チオール、チオ尿素またはチオアミド官能基を有する樹脂と組み合わせて、他の樹脂が使用されうる。好ましくは、抗微生物化合物、例えば、イソチアゾリン−３−オンが第１の樹脂のチオール、チオ尿素またはチオアミド官能基と接触するときに、典型的に起こるｐＨの低下を制御するために、チオール、チオ尿素またはチオアミド官能基を有する第１の樹脂と組み合わせて、少なくとも第２の樹脂が使用される。好ましくは、第２の樹脂は塩基性樹脂であり、より好ましくは、弱塩基イオン交換樹脂である。好ましくは、第２の樹脂はアミノ官能基、好ましくは第三級アミノ基を有する。第２の樹脂はゲル型樹脂またはマクロレティキュラー樹脂であることができる。第２の樹脂はアクリル系樹脂またはスチレン系樹脂であり得る。第１および第２の樹脂は混合されてよく、またはいずれかの順で複数層に分けられていてよい。本発明のある実施形態においては、第１の樹脂は、液体組成物の処理中にまず最初に液体組成物と遭遇する。好ましくは、第１の樹脂は全樹脂重量の少なくとも５０％、好ましくは少なくとも６０％、好ましくは少なくとも７０％、好ましくは少なくとも８０％、好ましくは少なくとも９０％である。好ましくは、第２の樹脂は全樹脂重量の少なくとも１０％、好ましくは少なくとも２０％、好ましくは少なくとも３０％である。好ましくは、樹脂床における液体組成物中の微生物の増殖を妨げるために、第１の樹脂と組み合わせて、抗微生物活性を有する樹脂が使用される。抗微生物活性を有する樹脂には、例えば、ポリラクタム粉体（米国特許第６，４６４、８８７号）、活性炭、銀イオンを含むアニオン交換樹脂（米国特許第４，０７６，６２２号および第７，３０６，７７７号）、ポリヨウ化物樹脂（米国特許第６，６８０，０５０号）、並びにガラス質抗微生物剤（米国特許第７，５１４，０９３）が挙げられる。
【実施例】
【００１８】
実施例１：バルクでの速度論検討
樹脂ビーズ（３．２０ｍｅｑ／ｇチオール官能基を有するマクロ多孔質スチレンコポリマー、１．１ｇ／ｍＬ湿潤、０．５ｇ乾燥重量）を、３：１＝ＣＭＩＴ：ＭＩＴ混合物３０ｐｐｍの水溶液５０ｍＬに分散させ、残留するイソチアゾリン−３−オン濃度の測定がいくつかの時点で行われ、残っている元のものの量のパーセンテージが計算された。結果は以下の表１に示される。チオール官能基によるイソチアゾリン−３−オンの化学的分解によるＨ＋の生成のために、溶液のｐＨは試験中に変化して最終値３〜３．５になった。
【００１９】
【表１】
2010284510.tif 000002
【００２０】
実施例２：動的流れ検討
以下に示されるように、実施例１で使用された樹脂５ｍＬまたは１０ｍＬを１０ｍＬのシリンジに充填した。水中３：１＝ＣＭＩＴ：ＭＩＴ混合物２２．５ｐｐｍの３ｍＬの第１の流れをシリンジ内の樹脂床に通した。第１のと同じ組成の第２の流れを同じシリンジに通した。２つの流出物中のイソチアゾリン−３−オン濃度を測定した。結果は以下の表２に示される。
【００２１】
【表２】
2010284510.tif 000003
ｎｄ＝検出されず
【００２２】
実施例３：動的流れ検討
１０ｍＬの樹脂、それぞれ３ｍＬの１５回の連続した流れを用いて、実施例２に記載された検討が繰り返された。結果は以下の表３に示される。
【００２３】
【表３】
2010284510.tif 000004
【００２４】
実施例４：ｐＨ制御を伴う流れ検討
樹脂床の８０％が実施例１において使用された樹脂（Ｒ１）であり、樹脂床の２０％が架橋アクリル系ゲル型弱塩基樹脂（第三級アミン官能基）（Ｒ２）であった組み合わせ樹脂床１０ｍＬを１０ｍＬのシリンジに充填した。この組み合わせの樹脂床を通る殺生物剤溶液が最初にＲ１に接触して、次にＲ２に接触するように、このシリンジにおいては、Ｒ１とＲ２とが別々に充填された。水中３：１＝ＣＭＩＴ：ＭＩＴ混合物１７ｐｐｍのそれぞれ３ｍＬの１８回の連続した流れをこの樹脂床に通した。流出物中のイソチアゾリン−３−オン濃度およびそのｐＨが測定された。結果は以下の表４に示される。
【００２５】
【表４】
2010284510.tif 000005
【００２６】
実施例５：シャンプーを用いたｐＨ制御を伴う流れ検討
表に記載されるような異なる比率で実施例４に記載される樹脂１０ｍＬを充填したシリンジに、１５ｐｐｍの３：１＝ＣＭＩＴ：ＭＩＴ混合物を含むシャンプーを下向きに通した。流出物中のイソチアゾリン−３−オンの濃度およびそのｐＨを測定した。結果は以下の表５に示される。このシャンプーはそれぞれの場合において気泡のために白色であった。第２および第３の検討においては粘度が低下した。
【００２７】
【表５】
2010284510.tif 000006
【００２８】
実施例６：非イソチアゾロン樹脂を使用するバルクでの速度論検討
示された殺生物剤の水溶液中に示されたタイプの樹脂ビーズが分散された（ＩＰＢＣを溶解するためにプロピレングリコールが添加された）。実施例１からの樹脂１および２種類の追加の樹脂が、殺生物剤溶液１０ｍＬに対して２ｇの樹脂の割合で試験され、残っている殺生物剤濃度の測定がいくつかの時点で行われた。殺生物剤Ａ、ＢおよびＤの量は全ホルムアルデヒドを分析することにより得られた。殺生物剤ＢおよびＤについては、遊離ホルムアルデヒドまたは残っている殺生物剤Ａ、ＢもしくはＤのいずれかを検出する条件下で、生じる全ての遊離のホルムアルデヒド（遊離ホルムアルデヒドおよび残っているホルムアルデヒド放出剤の双方を含む）が計算されて、殺生物剤ＢおよびＤの濃度に戻される。結果は以下の表に示される。
【００２９】
【表６】
2010284510.tif 000007
【００３０】
【表７】
2010284510.tif 000008
【００３１】
殺生物剤Ａはホルムアルデヒドであり；殺生物剤Ｂは１−（３−クロロアリル）−３，５，７−トリアザ−アゾニアアダマンタンであり；殺生物剤Ｃは３−ヨードプロピニルブチルカルバマート（ＩＰＢＣ）であり；殺生物剤Ｄは１，３−ビス（ヒドロキシメチル）−５，５−ジメチル−２，４−ジオキソイミダゾリジンである。殺生物剤ＢおよびＤはホルムアルデヒド放出剤である。樹脂１は、３．２０ｍｅｑ／ｇチオール官能基を有するマクロ多孔質スチレン系コポリマーであり；樹脂３は弱塩基アニオン交換樹脂（第三級アミン官能化スチレンジビニルベンゼン樹脂）であり；樹脂４はポリエチレンイミン官能化シリカゲルビーズ（ＡＬＤＲＩＣＨ＃２４６７４−３）である。
【外国語明細書】
2010284510000001.pdf
2010284510000002.pdf
2010284510000003.pdf